(57)【要約】【課題】ヒンジ部及びその近傍において、ケーブルとヒンジ軸部や筐体等の他の構成部材との有害な干渉を防止する。【解決手段】ケーブル１７，１８は、パッキン部材２３の凸状部に形成された溝部の押圧面によって、例えば、フロントケース８の厚さ方向に沿った位置決めがなされ、溝部の両側の側壁面によって、フロントケース８の長さ方向に沿った位置決めがなされる。これによって、ケーブル１７，１８は、ダミーヒンジ軸部１６の円筒状壁部との所定の離隔が確保されると共に、レシーバ側基板３１の接続部位から、ヒンジ部５内を通過して、マイク側基板３２の接続部位へ至るまでの所定の配置経路に沿って、配置される。【選択図】図１
2008153793.tif 000002
【特許請求の範囲】
【請求項１】
第１のユニットと第２のユニットとが、ヒンジ部を介して互いに開閉自在に結合され、かつ、前記ヒンジ部を経由するケーブルによって電気的に接続されて構成されている折畳み式電子機器における前記ケーブルの位置決め構造であって、
前記ヒンジ部の内部で、前記ケーブルの不要な動きを規制し、前記ケーブルを所定の配置経路に沿って配置するための規制部材が配設されている
ことを特徴とする折畳み式電子機器におけるケーブル位置決め構造。
【請求項２】
前記ヒンジ部は、その内部に前記ケーブルが通された状態で、前記第１のユニット及び前記第２のユニットの端部に形成された軸受部に、軸部材が嵌入されることによって、前記第１のユニットを構成する第１の枠体と、前記第２のユニットを構成する第２の枠体とを回動軸の周りに回動可能なように結合させるように構成され、
前記第１の枠体には、前記ケーブルを挿通するためのケーブル挿通部が形成され、前記ケーブル挿通部の開口を塞ぐように防水用のパッキン部材が配置されていることを特徴とする請求項１記載の折畳み式電子機器におけるケーブル位置決め構造。
【請求項３】
前記規制部材は、前記パッキン部材と一体的に成形されていることを特徴とする請求項２記載の折畳み式電子機器におけるケーブル位置決め構造。
【請求項４】
前記規制部材は、前記ケーブルの所定の部位を押えて、前記ケーブル挿通部の内部又はその近傍に配置され、前記ケーブルが経由する中空部を有する前記軸部材との干渉を回避するために用いられることを特徴とする請求項２又は３記載の折畳み式電子機器におけるケーブル位置決め構造。
【請求項５】
前記パッキン部材に、前記ケーブルの不要な動きを規制するための溝部が形成されていることを特徴とする請求項２、３又は４記載の折畳み式電子機器におけるケーブル位置決め構造。
【請求項６】
前記ケーブルが、前記溝部に通されることによって、前記第１の枠体の厚さ方向及び長さ方向に沿った前記ケーブルの不要な動きを規制して、前記ケーブルの位置決めがなされることを特徴とする請求項５記載の折畳み式電子機器におけるケーブル位置決め構造。
【請求項７】
前記規制部材は、前記ケーブルに取着され、前記第１の枠体、前記パッキン部材、又は前記軸部材に当ることによって、前記ケーブルと前記軸部材との干渉を回避するための外装体を有してなることを特徴とする請求項１又は２記載の折畳み式電子機器におけるケーブル位置決め構造。
【請求項８】
請求項１乃至７のいずれか１に記載の折畳み式電子機器におけるケーブル位置決め構造を備えたことを特徴とする折畳み式電子機器。
【請求項９】
レシーバ側基板を収納する前記第１のユニットと、マイク側基板を収納する第２のユニットとが、前記ヒンジ部を介して互いに開閉自在に結合されている携帯電話機からなり、前記ケーブルは、前記レシーバ側基板と前記マイク側基板とを電気的に接続すると共に、前記軸部材としてのダミーヒンジ側を通されていることを特徴とする請求項８記載の折畳み式電子機器。
【発明の詳細な説明】
【技術分野】
【０００１】
この発明は、折畳み式電子機器におけるケーブル位置決め構造及び折畳み式電子機器に係り、例えば、上部ユニットと下部ユニットとが、ヒンジ部を介して折畳可能なように相互に結合されて構成された折畳み式の携帯電話機において、ヒンジ部を経由して上部ユニットと下部ユニットとを接続するケーブルの位置決め構造、及び該構造を備えた折畳み式電子機器に関する。
【背景技術】
【０００２】
従来より、折畳み式電子機器としての携帯電話機は、その筐体が一体型（ストレートタイプ）のもののほか、小型化のために、２つのユニットから構成して、両ユニットを互いに折畳可能なように結合した折畳式のものが普及している。
【０００３】
このような折畳み式携帯電話機は、上部ユニットと下部ユニットとが、折畳可能なようにヒンジ部で相互に結合されて構成されている。
上部ユニット及び下部ユニットを構成する上部筐体及び下部筐体は、それぞれ、例えば、合成樹脂成形品からなり、表面側を構成するフロントケースと、裏面側を構成するリアケースとを有し、組み合されたフロントケースとリアケースとが周縁部に形成されたリブによる嵌合によって、各種構成部品が内部に収納され、又は取り着けられた状態で、着脱自在に組み立てられてなっている。
【０００４】
図１１に示すように、上部ユニットと下部ユニットとは、ヒンジ部１０１によって開閉自在に相互に結合されていると共に、２本のケーブル１０２，１０３を介して、電気的に接続されている。
すなわち、ケーブル１０２，１０３は、上部ユニットを構成するレシーバ側基板１０４の裏面と、下部ユニットを構成するマイク側基板１０５の裏面とに取り付けられて、上部配線基板１０４と下部配線基板１０５とが接続される。
【０００５】
ヒンジ部１０１は、その内部にケーブル１０２，１０３が通された状態で、軸受部に軸部材が嵌入されることによって、上部筐体と下部筐体とを回動軸の周りに回動可能なように結合させるように構成されている。
上部筐体のフロントケース１０６の下端部の中央部には、ヒンジ部１０１の軸受部を構成する円筒部が形成され、下端部の隅部には、図１１乃至図１３に示すように、枠状のケーブル挿通部１０７が形成され、さらに、ケーブル挿通部１０７の開口１０８を塞いで防水するためのパッキン部材１０９が配置されている（例えば、特許文献１等参照）。
【０００６】
携帯電話機の組立時には、上部筐体のフロントケース１０６の開口１０８から、一端がレシーバ側基板１０４に接続されたケーブル１０２，１０３を差し入れて、他端が下部筐体のフロントケース１１０に配置されたマイク側基板１０５に届くように配置する。
次に、パッキン部材１０９をケーブル挿通部１０７に嵌め込み、上記軸部材としてのダミーヒンジ軸部１１１を軸受部に嵌め込む。次に、ケーブル１０２，１０３の他端を下部ユニットの回路基板に接続する。
【０００７】
パッキン部材１０９は、フロントケース１０６の開口１０８の縁部に当接して、リアカバーと組み合わされて組み立てられた状態で、リアカバーによって押圧されて弾性変形して、シールがなされる。
なお、パッキン部材に代えて、ヒンジ部において、チューブ内にケーブルを通して、防水を行う技術も提案されている（例えば、特許文献２等参照）。
【特許文献１】特開２００２−３１９７７１号公報
【特許文献２】特開２００５−３２５８４９号公報
【発明の開示】
【発明が解決しようとする課題】
【０００８】
解決しようとする問題点は、上記従来技術では、ヒンジ部及びその近傍において、ケーブルの位置が定まらずに、他の構成部材との間での有害な干渉を引き起こしてしまうという点である。
すなわち、携帯電話機の組立て時に、図１２に示すように、ダミーヒンジ軸部１１１を軸受部に嵌入しようとすると、例えば、ケーブル１０２，１０３を、ダミーヒンジ軸部１１１と筐体との間に挟み込んでしまう。
また、携帯電話機の使用時に、筐体を開閉しようとすると、図１３に示すように、ケーブル１０２，１０３が筐体やダミーヒンジ軸部１１１と干渉して、ケーブル１０２，１０３の被覆が剥がれてしまう等の不具合が発生してしまう。
【０００９】
この発明は、上述の事情に鑑みてなされたもので、ヒンジ部及びその近傍において、ケーブルとヒンジ軸部や筐体等の他の構成部材との有害な干渉を防止することができる折畳み式電子機器におけるケーブル位置決め構造及び折畳み式電子機器を提供することを目的としている。
【課題を解決するための手段】
【００１０】
上記課題を解決するために、請求項１記載の発明は、第１のユニットと第２のユニットとが、ヒンジ部を介して互いに開閉自在に結合され、かつ、上記ヒンジ部を経由するケーブルによって電気的に接続されて構成されている折畳み式電子機器における上記ケーブルの位置決め構造に係り、上記ヒンジ部の内部で、上記ケーブルの不要な動きを規制し、上記ケーブルを所定の配置経路に沿って配置するための規制部材が配設されていることを特徴としている。
ここで、ケーブルは、狭義のケーブルのほか、可撓性印刷回路を含む広い概念を意味する。
【００１１】
また、請求項２記載の発明は、請求項１記載の折畳み式電子機器におけるケーブル位置決め構造に係り、上記ヒンジ部は、その内部に上記ケーブルが通された状態で、上記第１のユニット及び上記第２のユニットの端部に形成された軸受部に、軸部材が嵌入されることによって、上記第１のユニットを構成する第１の枠体と、上記第２のユニットを構成する第２の枠体とを回動軸の周りに回動可能なように結合させるように構成され、上記第１の枠体には、上記ケーブルを挿通するためのケーブル挿通部が形成され、上記ケーブル挿通部の開口を塞ぐように防水用のパッキン部材が配置されていることを特徴としている。
【００１２】
また、請求項３記載の発明は、請求項２記載の折畳み式電子機器におけるケーブル位置決め構造に係り、上記規制部材は、上記パッキン部材と一体的に成形されていることを特徴としている。
【００１３】
また、請求項４記載の発明は、請求項２又は３記載の折畳み式電子機器におけるケーブル位置決め構造に係り、上記規制部材は、上記ケーブルの所定の部位を押えて、上記ケーブル挿通部の内部又はその近傍に配置され、上記ケーブルが経由する中空部を有する上記軸部材との干渉を回避するために用いられることを特徴としている。
【００１４】
また、請求項５記載の発明は、請求項２、３又は４記載の折畳み式電子機器におけるケーブル位置決め構造に係り、上記パッキン部材に、上記ケーブルの不要な動きを規制するための溝部が形成されていることを特徴としている。
【００１５】
また、請求項６記載の発明は、請求項５記載の折畳み式電子機器におけるケーブル位置決め構造に係り、上記ケーブルが、上記溝部に通されることによって、上記第１の枠体の厚さ方向及び長さ方向に沿った上記ケーブルの不要な動きを規制して、上記ケーブルの位置決めがなされることを特徴としている。
【００１６】
また、請求項７記載の発明は、請求項１又は２記載の折畳み式電子機器におけるケーブル位置決め構造に係り、上記規制部材は、上記ケーブルに取着され、上記第１の枠体、上記パッキン部材、又は上記軸部材に当ることによって、上記ケーブルと上記軸部材との干渉を回避するための外装体を有してなることを特徴としている。
【００１７】
また、請求項８記載の発明に係る折畳み式電子機器は、請求項１乃至７のいずれか１に記載の折畳み式電子機器におけるケーブル位置決め構造を備えたことを特徴としている。
【００１８】
また、請求項９記載の発明は、請求項８記載の折畳み式電子機器に係り、レシーバ側基板を収納する上記第１のユニットと、マイク側基板を収納する第２のユニットとが、上記ヒンジ部を介して互いに開閉自在に結合されている携帯電話機からなり、上記ケーブルは、上記レシーバ側基板と上記マイク側基板とを電気的に接続すると共に、上記軸部材としてのダミーヒンジ側を通されていることを特徴としている。
【発明の効果】
【００１９】
この発明の構成によれば、規制部材が、ヒンジ部の内部で、ケーブルの不要な動きを規制し、ケーブルが所定の配置経路に沿って配置されるので、ヒンジ部及びその近傍において、ケーブルとヒンジ軸部や筐体等の他の構成部材との有害な干渉を防止することができる。
【発明を実施するための最良の形態】
【００２０】
規制部材が、ヒンジ部の内部で、ケーブルの不要な動きを規制し、ケーブルが所定の配置経路に沿って配置されることによって、ヒンジ部及びその近傍において、ケーブルと、ヒンジ軸部や筐体等の他の構成部材との有害な干渉を防止するという目的を実現した。
【実施例１】
【００２１】
図１は、この発明の第１の実施例である携帯電話機の構成を分解して示す分解斜視図であって、裏面側から見た図、図２は、同携帯電話機の構成を示す平面図、図３は、図２のＡ−Ａ線に沿った断面図、図４は、同携帯電話機の上部筐体のフロントケースの構成を示す平面図、図５は、同携帯電話機のヒンジ部のパッキン部材の構成を示す正面図、図６は、同パッキン部材の構成を示す下面図、図７は、同パッキン部材の構成を示す側面図、また、図８は、同携帯電話機の組立方法を説明するための断面図である。
【００２２】
この例の携帯電話機１は、図１に示すように、折畳可能な筐体２を備えると共に、通話機能やデータ通信機能を有し、上部ユニット３と下部ユニット４とが、折畳可能なようにヒンジ部５で相互に結合されて構成されている。
【００２３】
上部ユニット３は、図１に示すように、扁平な上部筐体６に、例えば液晶表示装置からなる表示部や、通話時に受話音声を出力する受話部等が実装されて概略構成され、下部ユニット４は、扁平な下部筐体７に、ＣＰＵ（中央処理装置）等からなる制御部や、ＲＯＭ、ＲＡＭ等の半導体メモリからなる記憶部、通話やデータ通信を行うための無線通信部、各種操作キー等からなる操作部、送話音声を入力する送話部、電池パックを有する電源部等が実装されて概略構成されている。
【００２４】
上部筐体６（下部筐体７）は、例えばＡＢＳ樹脂等の合成樹脂成形品からなり、図１及び図２に示すように、それぞれ、内面側を構成するフロントケース８（９）と、外面側を構成するリアカバー１１（１２）とを有し、組み合されたフロントケース８（９）とリアカバー１１（１２）とが、リブにおける嵌合によって、又は雌ねじや雄ねじ等の固定具による締付けによって、各種構成部品が内部に収納され、又は取り着けられた状態で、組み立てられてなっている。
【００２５】
上部筐体６のフロントケース８の下端部の中央部には、図１乃至図４に示すように、ヒンジ部５の軸受部１４を構成する円筒部１５が形成され、下端部のダミーヒンジ軸部１６の配置領域に対応する隅部には、ケーブル１７，１８を挿通するための枠状のケーブル挿通部２１が形成され、さらに、ケーブル挿通部２１の開口２２を塞ぐように防水用のパッキン部材２３が配置されている。
なお、図２において、パッキン部材２３の下方のダミーヒンジ軸部１６及びケーブル１７，１８と、ダミーヒンジ軸部１６の下方のケーブル１７，１８とは、実線を用いて、透視状態で示している。
【００２６】
下部筐体７のフロントケース９の上端部の左右の両側部には、図１及び図２に示すように、それぞれ、ヒンジ部５の軸受部１４を構成する半円筒部２５、及び円筒部２６が形成され、リアカバー１２の上端部の左側部には、軸受部１４を構成する半円筒部２７が形成されている。
なお、フロントケース９の上端部のダミーヒンジ軸部１６の配置領域に対応する部位には、ケーブル１７，１８を挿通するための例えば、切欠きを有するケーブル挿通部が形成されている。
【００２７】
上部ユニット３と下部ユニット４とは、図１及び図２に示すように、２本のケーブル１７，１８を介して、電気的に接続されている。すなわち、ケーブル１７，１８は、上部ユニット３を構成するレシーバ側基板３１の裏面と、下部ユニット４を構成するマイク側基板３２の裏面とに取り付けられて、レシーバ側基板３１とマイク側基板３２とが接続される。
【００２８】
上部筐体６と下部筐体７とは、図１及び図２に示すように、ヒンジ部５によって開閉自在に相互に結合されている。
すなわち、この例のヒンジ部５は、その内部にケーブル１７，１８が通された状態で、軸受部１４に、軸部材が嵌入されることによって、上部筐体６と下部筐体７とを回動軸の周りに回動可能なように結合させるように構成されている。
【００２９】
軸受部１４は、上部筐体６のフロントケース８の下端部の中央部に形成された円筒部１５と、下部筐体７のフロントケース９の上端部の左右の両側部にそれぞれ形成された半円筒部２５、及び円筒部２６と、リアカバー１２の上端部の左側部に形成された半円筒部２７とを有してなっている。
上部筐体６と下部筐体７とが組み合された状態で、両円筒部１５，２６に軸部材としてのヒンジ軸部（不図示）が嵌入され、かつ、円筒部１５及び半円筒部２５とに、中空部を有するダミーヒンジ軸部１６が嵌入されることによって、上部筐体６と下部筐体７とが結合されると共に、上記回動軸の周りに回動可能とされる。
【００３０】
ここで、円筒部１５，２６、ヒンジ軸部及びダミーヒンジ軸部１６の軸心（中心軸）は、共に上記回動軸と共通とされている。
また、ダミーヒンジ軸部１６は、中空部を有する部材からなり、所定の箇所が軸方向に沿って切り欠かれてスリット部３３が形成されている。
ダミーヒンジ軸部１６は、開口端側が内部側となるように、かつ、スリット部３３が下部筐体７側を向くように、軸受部１４に嵌入される。これによって、ケーブル１７，１８は、開口端３４から中心軸近傍を経由してスリット部３３へ至る配置経路に沿って、配置されることとなる。
【００３１】
フロントケース８の下端部のダミーヒンジ軸部１６の配置領域に対応する隅部には、枠状のケーブル挿通部２１が形成され、さらに、このケーブル挿通部２１の開口２２を塞いで防水するためのシリコンゴム等のゴム製のパッキン部材２３が配置されている。
この例のパッキン部材２３は、防水機能と共に、ケーブルの位置決め機能を有し、図５乃至図７に示すように、その表面（携帯電話機１の使用時には上側となる面）の周縁部がケーブル挿通部２１の開口（裏面側）２２の縁部に押し付けられる平板部３５と、先端部でケーブル１７，１８の所定の部位を押える凸状部３６とを有している。
【００３２】
凸状部３６の先端部には、ケーブル１７，１８を配置経路に沿って案内する断面形状が略台形状の溝部３７が形成されている。溝部３７は、ケーブル１７，１８を押圧する押圧面３８と、押圧面３８に対して傾斜した側壁面３９．３９とを有している。
この例のケーブル位置決め構造は、ケーブル挿通部２１の開口２２を塞ぐように配置されたパッキン部材２３を構成する凸状部３６の先端部に、ケーブル１７，１８を配置経路に沿って案内し、ケーブル１７，１８を押圧する押圧面３８と、押圧面３８に対して傾斜した側壁面３９．３９とを有する溝部３７が形成され、ケーブル１７，１８のフロントケース８の厚さ方向及び長さ方向に沿った不要な動き（変位）を規制するように構成されている。
【００３３】
すなわち、ケーブル１７，１８は、溝部３７の押圧面３８によって、例えば、フロントケース８の厚さ方向に沿った位置決めがなされ、溝部３７の両側の側壁面３９，３９によって、厚さ方向に直交するフロントケース８の長さ方向に沿った位置決めがなされる。例えば、携帯電話機１の使用時には、ケーブル１７，１８は、押圧面３８によって押し上げられる。
【００３４】
これによって、ケーブル１７，１８は、ダミーヒンジ軸部１６の円筒状外壁部４１及びフロントケース８との所定の離隔が確保されると共に、レシーバ側基板３１の接続部位から、ヒンジ部５内を通過して、マイク側基板３２の接続部位へ至るまでの所定の配置経路に沿って、配置される。
パッキン部材２３は、その平板部３５の表面の周縁部がフロントケース８の開口２２の縁部に当接して、リアカバー１１と組み合わされて組み立てられた状態で、平板部３５の裏面がリアカバー１１によって押圧されて弾性変形して、シールがなされる。
なお、下部筐体７のフロントケース９にも、その上端部のダミーヒンジ軸部１６の配置領域に対応する部位には、ケーブル１７，１８を挿通するためのケーブル挿通部が形成されている。
【００３５】
次に、図１、図３及び図８を参照してこの例の携帯電話機１のケーブル位置決め構造の機能について説明する。
携帯電話機１を組み立てるには、まず、図１に示すように、上部筐体６のフロントケース８の開口２２から、一端がレシーバ側基板３１に接続されたケーブル１７，１８を、ケーブル挿通部２１に差し入れて、ヒンジ部５の内部を通過させ、下部筐体７のフロントケース９に形成されたケーブル挿通部を通し、他端がフロントケース９に配置されたマイク側基板３２に届くように配置する。
【００３６】
次に、図３に示すように、パッキン部材２３を、ケーブル挿通部２１に嵌め込み、このとき、ケーブル１７，１８が溝部３７を通るようにする。
次に、ダミーヒンジ軸部１６を、図３及び図８に示すように、開口端側が内部側となるように、かつ、スリット部３３が下部筐体７側を向くように、軸受部１４に嵌め込む。ここで、ケーブル１７，１８は、溝部１７の押圧面３８によって、例えば、フロントケース８の厚さ方向に沿った不要な動きを規制され、溝部３７の両側の側壁面３９，３９によって、厚さ方向に直交するフロントケース８の長さ方向に沿った不要な動きを規制されて、位置決めがなされる。
【００３７】
これによって、ケーブル１７，１８と、ダミーヒンジ軸部１６の円筒状壁部４１及びフロントケース８との離隔（クリアランス）が確保され、ケーブル１７，１８は、ダミーヒンジ軸部１６の中心軸近傍を経由し、スリット部３３から引き出されるように配置される。
したがって、ダミーヒンジ軸部１６が、ケーブル１７，１８を、フロントケース８やパッキン部材２３との間で、挟み込んでしまうことがない。
次に、ケーブル１７，１８の他端を、下部ユニット７のマイク側基板３２の接続部位に接続する。
【００３８】
次に、フロントケース８とリアカバー１１、及びフロントケース９とリアカバー１２を、それぞれ、組み合わせて、携帯電話機１を組み立てる。ここで、組み合されたフロントケース８（９）とリアカバー１１（１２）とが周縁部に形成されたリブによる嵌合によって、各種構成部品が内部に収納され、又は取り着けられた状態で、組み立てられる。
また、リアカバー１１と組み合わされて組み立てられた状態で、パッキン部材２３は、その平板部３５の表面の周縁部がフロントケース８の開口２２の縁部に当接して、平板部３５の裏面がリアカバー１１によって押圧されて弾性変形して、シールがなされる。
【００３９】
また、携帯電話機１の使用時に、筐体２を開閉しようとすると、図３に示すように、ケーブル１７，１８は、溝部１７の押圧面３８によって、例えば、フロントケース８の厚さ方向に沿った不要な動きを規制され、溝部３７の両側の側壁面３９，３９によって、厚さ方向に直交するフロントケース８の長さ方向に沿った不要な動きを規制されて、位置決めがなされているので、フロントケース８及びダミーヒンジ軸部１６の円筒状壁部４１からの所定の離隔が確保され、例えば、フロントケース８と干渉して、ケーブル１７，１８の被覆が剥がれてしまうような不具合が回避される。なお、ケーブル１７，１８と、パッキン部材２３とが干渉しても、ケーブル１７，１８の被覆剥がれが生じることはない。
【００４０】
このように、この例の構成によれば、ケーブル１７，１８は、パッキン部材２３の凸状部３６に形成された溝部３７の押圧面３８によって、例えば、フロントケース８の厚さ方向に沿った位置決めが正確になされ、溝部３７の両側の側壁面３９，３９によって、厚さ方向に直交するフロントケース８の長さ方向に沿った位置決めが正確になされるので、ヒンジ部５及びその近傍において、ケーブル１７，１８とダミーヒンジ軸部１６や筐体２等の他の構成部材との有害な干渉を防止することができる。
【００４１】
これによって、ケーブル１７，１８は、ダミーヒンジ軸部１６の円筒状壁部４１及びフロントケース８と所定の離隔が確保され、ダミーヒンジ軸部１６の中心軸近傍を経由して配置されると共に、レシーバ側基板３１の接続部位から、ヒンジ部５内を通過して、マイク側基板３２の接続部位へ至るまでの所定の配置経路に沿って、配置される。
【００４２】
したがって、携帯電話機１の組立て時に、ダミーヒンジ軸部１６を軸受部１４に嵌入しようとすると、例えば、ケーブル１７，１８を、ダミーヒンジ軸部１６と筐体２との間に挟み込んでしまったり、携帯電話機１の使用時に、筐体２を開閉しようとすると、ケーブル１７，１８が筐体２やダミーヒンジ軸部１６と干渉して、ケーブル１７，１８の被覆が剥がれてしまう等の不具合の発生を防止することができる。
【００４３】
このように、携帯電話機１の組立て性や、筐体２の開閉操作性を向上させることができると共に、使用中のケーブル１７，１８の損傷や断線等の不具合の発生を防止することができる。
また、パッキン部材２３にケーブルの位置決め機能を兼ねさせたので、構成部品を増やすことなく、かつ、簡易な構成で、正確にケーブルの位置決めを行うことができる。
【実施例２】
【００４４】
図９は、この発明の第２の実施例である携帯電話機の構成を示す平面図、また、図１０は、図９のＢ−Ｂ線に沿った断面図である。
この例が上述した第１の実施例と大きく異なるところは、パッキン部材の凸状部を廃し、ケーブルにその不要な動きを規制するための中空部材を被覆させた点である。
これ以外の構成は、上述した第１の実施例の構成と略同一であるので、第１の実施例と同一の構成要素については、図９及び図１０において、図２及び図３で用いた符号と同一の符号を用いて、その説明を簡略にする。
【００４５】
上部筐体６と下部筐体７とは、図１及び図２に示すように、ヒンジ部５１によって開閉自在に相互に結合されている。
すなわち、この例のヒンジ部５１は、その内部にケーブル１７，１８が通された状態で、軸受部１４に、軸部材が嵌入されることによって、上部筐体６と下部筐体７とを回動軸の周りに回動可能なように結合させるように構成されている。
【００４６】
また、ダミーヒンジ軸部１６は、中空部を有する部材からなり、所定の箇所が軸方向に沿って切り欠かれてスリット部３３が形成されている。
ダミーヒンジ軸部１６は、開口端側が内部側となるように、かつ、スリット部３３が下部筐体７側を向くように、軸受部１４に嵌入される。これによって、ケーブル１７，１８は、開口端３４から中心軸近傍を経由してスリット部３３へ至る配置経路に沿って、配置されることとなる。
【００４７】
フロントケース８の下端部のダミーヒンジ軸部１６の配置領域に対応する隅部には、枠状のケーブル挿通部２１が形成され、さらに、このケーブル挿通部２１の開口２２を塞いで防水するための略平板状のパッキン部材５２が配置されている。
この例のケーブル位置決め構造は、ケーブル１７，１８のヒンジ部５１内における所定の部位に、中空部材５３が嵌め込まれ、中空部材５３が、パッキン部材５２等に突き当たることによって、ケーブル１７，１８の例えばフロントケース８の厚さ方向に沿った不要な動きを規制するように構成されている。
【００４８】
すなわち、ケーブル１７，１８は、中空部材５３が、パッキン部材５２等に突き当たることによって、フロントケース８の厚さ方向に沿った位置決めがなされ、ダミーヒンジ軸部１６の円筒状外壁部４１との所定の離隔が確保され、円筒状外壁部４１に直接当ることがない。ケーブル１７，１８は、レシーバ側基板３１の接続部位から、ヒンジ部５内を通過して、マイク側基板３２の接続部位へ至るまでの所定の配置経路に沿って、配置される。
【００４９】
この例の構成によれば、ケーブル１７，１８は、ケーブル１７，１８のヒンジ部５１内における所定の部位に、中空部材５３が嵌め込まれ、中空部材５３が、パッキン部材５２等に突き当たることによって、ケーブル１７，１８の例えばフロントケース８の厚さ方向に沿った不要な動きを規制して位置決めがなされるので、ヒンジ部５１及びその近傍において、ケーブル１７，１８とダミーヒンジ軸部１６や筐体２等の他の構成部材との有害な干渉を防止することができる。
これによって、ケーブル１７，１８は、ダミーヒンジ軸部１６の円筒状壁部４１と所定の離隔が確保され、ダミーヒンジ軸部１６の中心軸近傍を経由して配置されると共に、レシーバ側基板３１の接続部位から、ヒンジ部５１内を通過して、マイク側基板３２の接続部位へ至るまでの所定の配置経路に沿って、配置される。
【００５０】
したがって、携帯電話機の組立て時に、ダミーヒンジ軸部１６を軸受部１４に嵌入しようとすると、例えば、ケーブル１７，１８を、ダミーヒンジ軸部１６と筐体２との間に挟み込んでしまったり、携帯電話機の使用時に、筐体２を開閉しようとすると、ケーブル１７，１８が筐体２と干渉して、ケーブル１７，１８の被覆が剥がれてしまう等の不具合の発生を防止することができる。
【００５１】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、パッキン部材の材料として、シリコンゴムを用いる場合について述べたが、シリコンゴムに限らず、耐候性を有するゴムとして、フッ素ゴム、多硫化ゴム等から選択して用いても良い。また、筐体は、金属製でも良いし、樹脂製としても良いし、複合筐体としても良い。
【００５２】
また、パッキン部材によって、防水を行う場合について述べたが、これに限らず、少なくとも防塵機能を備えさせるようにしても良い。
また、パッキン部材の凸状部に設けた溝部は、単一と限らず、ケーブルの本数に合わせて、別々に複数形成しても良い。また、溝部の断面形状は、略台形と限らず、例えば、略円形や、略半円形でも良い。また、溝部を、曲線状に形成するようにしても良い。
【００５３】
また、パッキン部材の凸状部の先端部に、溝部に代えて、例えば、一対の突起部を形成して、突起部間にケーブルを通すようにしても良い。また、凸状部の先端部に挿入孔を形成して、この挿入孔にケーブルを通すようにしても良い。
また、規制部材として、パッキン部材に兼ねさせずに、専用の規制部材を用いても良いし、筐体と一体化させて規制部材を成形しても良い。
【００５４】
また、第２の実施例で、中空部材は、ケーブルの所定の部位に固定しても良いし、変位可能としても良い。中空部材を、ケーブルに対して変位可能とすることで、ケーブルの配置経路の調節が可能となる。
また、中空部材に、パッキン部材に嵌合して、パッキン部材に対して位置決めするための嵌合部を形成するようにしても良い。この場合、ケーブルは中空部材を変位可能なように遊嵌状態としておいても良い。
【産業上の利用可能性】
【００５５】
接続配線として、狭義のケーブルのほか、ＦＰＣ（Flexible Printed Circuit）等の可撓性印刷回路の位置決めに適用できる。また、携帯型電子機器としては、携帯電話機のほか、データ通信機能を有するＰＨＳ端末や、ＰＤＡ、携帯型のコンピュータを用いる場合に適用できる。
【図面の簡単な説明】
【００５６】
【図１】この発明の第１の実施例である携帯電話機の構成を分解して示す分解斜視図であって、裏面側から見た図である。
【図２】同携帯電話機の構成を示す平面図である。
【図３】図２のＡ−Ａ線に沿った断面図である。
【図４】同携帯電話機の上部筐体のフロントケースの構成を示す平面図である。
【図５】同携帯電話機のヒンジ部のパッキン部材の構成を示す正面図である。
【図６】同パッキン部材の構成を示す下面図である。
【図７】同パッキン部材の構成を示す側面図である。
【図８】同携帯電話機の組立方法を説明するための断面図である。
【図９】この発明の第２の実施例である携帯電話機の構成を示す平面図である。
【図１０】図９のＢ−Ｂ線に沿った断面図である。
【図１１】従来技術を説明するための説明図である。
【図１２】従来技術を説明するための説明図であって、図１１のＣ−Ｃ線に沿った断面図である。
【図１３】従来技術を説明するための説明図である。
【符号の説明】
【００５７】
１      携帯電話機（折畳み式電子機器）
２      筐体
３      上部ユニット（第１のユニット）
４      下部ユニット（第２のユニット）
５，５１      ヒンジ部
７，７６      上部筐体
８      フロントケース（第１の枠体）
９      フロントケース（第２の枠体）
１４      軸受部
１６      ダミーヒンジ軸部（軸部材、ダミーヒンジ）
１７，１８      ケーブル
２１      ケーブル挿通部
２２      開口
２３      パッキン部材（規制部材）
３１      レシーバ側基板
３２      マイク側基板
３７      溝部
５２      パッキン部材
５３      中空部材（規制部材、外装体）
【図１】
2008153793.tif 000003
【図２】
2008153793.tif 000004
【図３】
2008153793.tif 000005
【図４】
2008153793.tif 000006
【図５】
2008153793.tif 000007
【図６】
2008153793.tif 000008
【図７】
2008153793.tif 000009
【図８】
2008153793.tif 000010
【図９】
2008153793.tif 000011
【図１０】
2008153793.tif 000012
【図１１】
2008153793.tif 000013
【図１２】
2008153793.tif 000014
【図１３】
2008153793.tif 000015